【手続補正書】
【提出日】平成16年11月22日(2004.11.22)
【手続補正１】
【補正対象書類名】明細書
【補正対象項目名】全文
【補正方法】変更
【補正の内容】
【書類名】明細書
【発明の名称】自動販売機用の景品排出装置
【特許請求の範囲】
【請求項１】  装置内に電子計算機を内蔵して景品を収納する景品収納庫を設け、また、設定商品表示ボード、景品名称ボード、当選確率表示ボード及び景品の取出口とを設け、自動販売機の外部に設置して該自動販売機の電子計算機に接続したことを特徴とする景品排出装置。
【請求項２】  自動販売機の電子計算機からの情報により景品を排出することを特徴とする請求項１に記載の景品排出装置。
【請求項３】  景品切れが発生した場合に、その旨を当選確率ボードに表示することを特徴とする請求項１又は２のいずれかに記載の景品排出装置。
【請求項４】  景品取り忘れ防止のための音声出力スピーカーを設けたことを特徴とする請求項１ないし３のいずれかに記載の景品排出装置。
【請求項５】  自動販売機外部設用の着脱可能な脚を設けたことを特徴とする請求項１ないし４のいずれかに記載の景品排出装置。
【請求項６】  自動販売機の外部に設置した景品排出装置により、自動販売機内の電子計算機の信号と、該景品排出装置に内蔵した電子計算機による確率計算により、景品の提供を行うことを特徴とする自動販売機における景品提供方法。
【発明の詳細な説明】
【０００１】
【発明が属する技術分野】
本発明は、自動販売機に付設、又は隣接設置して景品を提供する景品排出装置により、自動販売機による商品の販売促進をより向上させ、また中古自動販売機の再利用を可能としてこれらの廃棄に伴う環境負荷の軽減を目的とする景品排出装置に関するものである。
【０００２】
【従来の技術】
従来より、自動販売機市場において商品の拡販をはかるために、自動販売機自体に一定の確率に基づいて当選すれば更にもう１つの商品若しくは景品が提供されるとか、又は携帯電話を利用しての購入時に景品用のポイントが加算される等の機能を持たせたものがあった。
【０００３】
上記機能はいずれも自動販売機の新機種による販売促進のため特別に設けられた機能であり、その機能を有しない新規又は中古自動販売機は顧客への景品等を提供する機能を後から付加することは不可能であった。
【０００４】
【特許文献１】特開２０００−１３２７３６
【特許文献２】特開２００３−２３３０
【０００５】
【発明が解決しようとする課題】
従来の自動販売機本体から直接、景品が排出される方法では景品の形状、大きさが商品の形状、大きさに限定され、また携帯電話を使用する自動販売機、又は景品排出装置を内蔵した自動販売機等の新機能自動販売機のコストは通常の自動販売機に比べて２〜４倍と割高である。
【０００６】
また、諸理由により当業者に引き取られた中古自動販売機は、顧客が新品機種の設置を望むことにより再設置が難しく、これらは新品同様の機能を有しているにもかかわらず、解体又は廃棄処分され当業者のコスト負担のみならず環境問題、資源再利用の観点からも大きな無駄を生じていた。
【０００７】
【課題を解決するための手段】
本発明は、景品２を自動販売機１３本体から出すのではなく、景品排出装置１を自動販売機１３本体と独立させ、該自動販売機１３本体の側面に付設、又は着脱可能な脚１１を装着し、隣接設置し、その景品排出装置１から景品２を提供する。
【０００８】
自動販売機１３に内蔵された既存の小型電子計算機の信号を景品排出装置１に内蔵の小型電子計算機が受信し、設定された確率計算を行い、景品２を排出し購買者に提供する。
【０００９】
【発明の実施の形態】
景品２を収納した景品排出装置１は、自動販売機１３の側面に付設するか、又は着脱可能な脚１１を設け、自動販売機１３に隣接して設置する（図１）。
【００１０】
自動販売機１３と景品排出装置１は電源及び操作コード１２により電気的に接続されており、電源及び自動販売機１３からの制御信号は各々に内蔵する小型電子計算機の信号により景品排出装置１に伝達され、販売商品と景品２の関連付けがなされる（図２）。
【００１１】
景品２は、該景品２を仕切って収納する１つ又は複数の景品収納庫３に収め、透明な景品窓４を通して景品２を可視できる（図３）。
【００１２】
それぞれに仕切られた景品収納庫３に対応する販売商品を表すための設定商品表示ボード５、景品２を表すための景品名称ボード６、景品２の排出確率を表すための当選確率表示ボード７があり、透明かつ頑丈な素材で製作された設定状況確認窓８を通して購買者は販売商品と景品２の関係を確認できる。また、当選した場合の景品２は取出口１０に排出され購買者が手にすることができる。尚、景品２切れが発生した場合、当選確率表示ボード７にてその旨を表示する。また、スピーカー９により、景品２の取り忘れの防止及び、次回への購買意欲をうながす音声を発することができる。
【００１３】
【実施例１】
オペレーター（自動販売機に商品を補充する者）は、自動販売機１３内臓の既存小型電子計算機にて販売商品に対応するコラム、セレクションボタン、価格の設定を行い、また、景品排出装置１に景品２を投入して、更に景品排出装置１側の内蔵小型電子計算機にて、販売商品に対応する景品２、該景品２の当選確率、スピーカー９の設定を行った。オペレーターは、設定商品表示ボード５、景品名称ボード６に文字記入、写真貼り付けなどの方法にて、販売商品と景品２の関係を明確にした（図４）。
【００１４】
購買者は貨幣を投入し、提供される景品２と当選確率を踏まえた上で自動販売機１３のセレクションボタンを押す。景品排出装置１は自動販売機１３からの販売情報をそれぞれの小型電子計算機を通して受信し、先に設定された条件に基づいて、当選であれば景品２を排出した。購買者は、自動販売機１３から該当の商品（および釣銭）、景品排出装置１の取出口１０から景品２を入手した（図４）。
【００１５】
【実施例２】
新機能付き自動販売機と中古自動販売機に景品排出装置１を付属して販売した際に、後者の場合、１台あたり３年で３０万円から４０万円の利益が見込まれることが試算して証明された。また、市場台数で約１００万台とした場合、この景品排出装置１を付加することによる再利用により年間１万５千台から２万台の廃棄を防ぐことができることが試算できた。これにより、廃棄に係る一連の環境負荷（廃棄、移動、設置等）を大幅に低減することが可能である。
【００１６】
【発明の効果】
景品の形状、サイズの多様性が可能となり、景品の選択幅が広がり、また購買者は景品窓を通して景品の確認できることにより、販売促進効果が高められる。加えて景品のランダム投入の必要がなく、オペレーターの作業が簡素化される。
【００１７】
通常機能の自動販売機を利用して景品排出装置を装着することにより付加価値を高めることができることから、新機能の自動販売機（携帯電話販売型など）より低コストで自動販売機を市場へ投入できる。
【００１８】
新品自動販売機だけでなく、中古自動販売機に景品排出装置を装着することにより付加価値を持たせることで、中古自動販売機の市場再投入が容易になり、該中古自動販売機の市場再投入は自動販売機の使用寿命を延ばし、自動販売機取り扱い業者及び客先のコスト負担を軽減できる。あわせて、中古自動販売機の市場再投入は解体、廃棄を減少させることから「環境対策」「資源再利用」に対しても大いに貢献することになる。
【図面の簡単な説明】
【図１】
自動販売機に付設又は隣接設置した景品排出装置
【図２】
自動販売機との電源及び制御信号との接続状態図
【図３】
景品排出装置の各構成要素配置図
【図４】
景品排出装置での購買者が商品、景品を入手するまでのフロー図
【符号の説明】
１    景品排出装置
２    景品
３    景品収納庫
４    景品窓
５    設定商品表示ボード
６    景品名称ボード
７    当選確率表示ボード
８    設定状況確認窓
９    スピーカー
１０  取出口
１１  脚
１２  電源及び操作コード
１３  自動販売機
【手続補正２】
【補正対象書類名】図面
【補正対象項目名】全図
【補正方法】変更
【補正の内容】
【図１】
2005011013.tif 000001
【図２】
2005011013.tif 000002
【図３】
2005011013.tif 000003
【図４】
2005011013.tif 000004